(57)【要約】      （修正有）【課題】施工性を向上し得るフレーム装置及びフレーム装置の施工方法を提供する。【解決手段】フレーム装置２は、壁面５に沿うように配される縦フレーム２０と、縦フレームの上端部に連結されて壁面に対して直交方向に延びるように配され、被保持部材８を保持する上フレーム１０と、を備えており、縦フレームは、壁面に向けて開口する受入溝が全長に亘って設けられ、少なくとも一箇所が壁面に対して固定され下端部が床面３に当接されるフレーム本体２１と、フレーム本体の受入溝に進退自在に受け入れられ、フレーム本体の全長に亘って設けられた隙間遮蔽部材２５と、縦フレームの長手方向に間隔を空けて複数箇所に設けられ、かつフレーム本体の反壁面側となる見込面側において操作可能とされフレーム本体に対して隙間遮蔽部材を進退させる進退調整部材２９と、を備えている。【選択図】図１
2020084652.tif 000002
【特許請求の範囲】
【請求項１】
壁面に沿うように配される縦フレームと、該縦フレームの上端部に連結されて前記壁面に対して直交方向に延びるように配され、被保持部材を保持する上フレームと、を備えており、
前記縦フレームは、前記壁面に向けて開口する受入溝が全長に亘って設けられ、少なくとも一箇所が前記壁面に対して固定され下端部が床面に当接されるフレーム本体と、該フレーム本体の受入溝に進退自在に受け入れられ、該フレーム本体の全長に亘って設けられた隙間遮蔽部材と、当該縦フレームの長手方向に間隔を空けて複数箇所に設けられ、かつ前記フレーム本体の反壁面側となる見込面側において操作可能とされ前記フレーム本体に対して前記隙間遮蔽部材を進退させる進退調整部材と、を備えていることを特徴とするフレーム装置。
【請求項２】
請求項１において、
前記フレーム本体及び前記隙間遮蔽部材における少なくとも室内側において露出する表面は、互いに同色状とされていることを特徴とするフレーム装置。
【請求項３】
請求項１または２において、
前記進退調整部材は、前記隙間遮蔽部材の壁面側に向く面から突出しないように設けられていることを特徴とするフレーム装置。
【請求項４】
請求項１乃至３のいずれか１項において、
前記進退調整部材は、前記フレーム本体に回転自在に保持される被保持部と、前記隙間遮蔽部材に設けられた雌ねじ穴にねじ合わされる雄ねじ部と、を備えていることを特徴とするフレーム装置。
【請求項５】
請求項１乃至４のいずれか１項において、
前記フレーム本体及び前記隙間遮蔽部材には、前記壁面に向けて止着される固着具が挿通される挿通孔が設けられていることを特徴とするフレーム装置。
【請求項６】
請求項１乃至５のいずれか１項において、
対向する壁面のそれぞれに沿うように配され、前記上レールの長手方向の各端部に連結される二本の前記縦フレームを備えていることを特徴とするフレーム装置。
【請求項７】
請求項６において、
前記上フレームには、前記被保持部材としての間仕切パネルの上端部を保持する保持部が設けられていることを特徴とするフレーム装置。
【請求項８】
請求項６または７において、
前記縦フレームの長さ寸法は、前記上フレームと天井との間に隙間が形成されるように天井高よりも小とされていることを特徴とするフレーム装置。
【請求項９】
請求項６乃至８のいずれか１項に記載のフレーム装置の施工方法であって、
前記上フレームの長手方向の各端部に、前記二本の縦フレームの各フレーム本体の上端部を連結した状態で、これら両側の縦フレームを対向するそれぞれの壁面に沿わせ、各フレーム本体の少なくとも一箇所を各壁面に固定し、各フレーム本体の下端部を床面に当接させて三方枠状構造体を設置する工程と、各縦フレームの前記進退調整部材を操作して前記隙間遮蔽部材を各壁面に当接させる工程と、を備えていることを特徴とするフレーム装置の施工方法。
【発明の詳細な説明】
【技術分野】
【０００１】
本発明は、フレーム装置及びフレーム装置の施工方法に関する。
【背景技術】
【０００２】
従来より、室内には、室内空間を区画する間仕切壁が設置されているが、間取りを変更したい場合には、大掛かりな工事が必要であった。
例えば、下記特許文献１には、矩形門型の３方枠内に、隣接して密に複数の可変壁内収納棚を設けた可動間仕切収納が開示されている。
【先行技術文献】
【特許文献】
【０００３】
【特許文献１】特開２００１−３０３６９７号公報
【発明の概要】
【発明が解決しようとする課題】
【０００４】
しかしながら、上記特許文献１に記載されたような可動間仕切収納の３方枠の縦枠の固定対象となる壁面側に波打ちや不陸があれば、縦枠と壁面との間に隙間が形成される懸念があった。このような懸念は、３方枠を移設する際にはより顕著となることが考えられる。
【０００５】
本発明は、上記実情に鑑みてなされたものであり、施工性を向上し得るフレーム装置及びフレーム装置の施工方法を提供する。
【課題を解決するための手段】
【０００６】
上記目的を達成するために、本発明に係るフレーム装置は、壁面に沿うように配される縦フレームと、該縦フレームの上端部に連結されて前記壁面に対して直交方向に延びるように配され、被保持部材を保持する上フレームと、を備えており、前記縦フレームは、前記壁面に向けて開口する受入溝が全長に亘って設けられ、少なくとも一箇所が前記壁面に対して固定され下端部が床面に当接されるフレーム本体と、該フレーム本体の受入溝に進退自在に受け入れられ、該フレーム本体の全長に亘って設けられた隙間遮蔽部材と、当該縦フレームの長手方向に間隔を空けて複数箇所に設けられ、かつ前記フレーム本体の反壁面側となる見込面側において操作可能とされ前記フレーム本体に対して前記隙間遮蔽部材を進退させる進退調整部材と、を備えていることを特徴とする。
【０００７】
また、上記目的を達成するために、本発明に係るフレーム装置の施工方法は、本発明に係るフレーム装置において、対向する壁面のそれぞれに沿うように配され、前記上レールの長手方向の各端部に連結される二本の前記縦フレームを備えているフレーム装置の施工方法であって、前記上フレームの長手方向の各端部に、前記二本の縦フレームの各フレーム本体の上端部を連結した状態で、これら両側の縦フレームを対向するそれぞれの壁面に沿わせ、各フレーム本体の少なくとも一箇所を各壁面に固定し、各フレーム本体の下端部を床面に当接させて三方枠状構造体を設置する工程と、各縦フレームの前記進退調整部材を操作して前記隙間遮蔽部材を各壁面に当接させる工程と、を備えていることを特徴とする。
【発明の効果】
【０００８】
本発明に係るフレーム装置及びフレーム装置の施工方法は、上述のような構成としたことで、施工性を向上させることができる。
【図面の簡単な説明】
【０００９】
【図１】本発明の一実施形態に係るフレーム装置の一例を模式的に示す概略斜視図である。
【図２】（ａ）、（ｂ）は、図１におけるＸ１−Ｘ１線矢視に対応させた一部破断概略横断面図である。
【図３】（ａ）、（ｂ）は、図１におけるＸ２−Ｘ２線矢視に対応させた一部破断概略横断面図である。
【図４】図１におけるＹ−Ｙ線矢視に対応させた一部破断概略縦断面図である。
【発明を実施するための形態】
【００１０】
以下に本発明の実施の形態について、図面に基づいて説明する。
なお、一部の図では、他図に付している詳細な符号の一部を省略している。
また、以下の実施形態では、フレーム装置を設置した状態を基準として、上下方向等の方向を説明する。
【００１１】
図１〜図４は、本実施形態に係るフレーム装置及びこのフレーム装置の施工方法の一例を模式的に示す図である。
本実施形態に係るフレーム装置２は、図１に示すように、壁面５に沿うように配される縦フレーム２０と、この縦フレーム２０の上端部に連結されて壁面５に対して直交方向に延びるように配される上フレーム１０と、を備えている。このような構成とすれば、壁面５に沿わせて縦フレーム２０を固定することができるので、壁に埋込状に配設する必要がなく、大掛かりな工事を要することなく設置でき、また、移設も容易に行うことができる。
【００１２】
本実施形態では、フレーム装置２は、対向する壁面５，５のそれぞれに沿うように配され、上フレーム１０の長手方向の各端部に連結される二本の縦フレーム２０，２０を備えている。このような構成とすれば、これら両側の縦フレーム２０，２０を各壁面５，５に沿わせて固定することができるので、これら両側の縦フレーム２０，２０に上フレーム１０を保持させて天井４に対しては非固定とすることもできる。これにより、大掛かりな工事を要することなく設置でき、また、移設も容易に行うことができる。また、例えば、後記するように、上フレーム１０の長手方向の各端部に各縦フレーム２０，２０の上端部を連結して構成された三方枠状構造体を、対向する壁面５，５の壁幅方向における他の位置に移設するようなことも容易に可能となる。
また、本実施形態では、上フレーム１０は、被保持部材としての間仕切パネル８を保持する構成とされている。このような構成とすれば、当該フレーム装置２を、間仕切パネル８とによって間仕切装置１として機能させることができる。
【００１３】
この間仕切装置１（フレーム装置２）の施工対象となる建物としては、戸建住宅や集合住宅等の住宅に限られず、商業施設や公共施設等の建物であってもよい。図例では、対向する壁面５，５と、これらのそれぞれに対して交差状に設けられた奥側の壁面と、間仕切装置１と、によって所定の空間の四周を区画した例を示している。
縦フレーム２０が沿わせられる壁面５は、壁クロスや塗装等の適宜の仕上処理が施された壁仕上面でもよく、仕上処理が施されていない壁下地面でもよい。
縦フレーム２０の下端部が当接される床面３は、適宜の床材の表面によって構成される床仕上面でもよく、床材が施工されていない床下地面でもよい。
【００１４】
上フレーム１０は、対向する壁面５，５の対向方向に沿って延びるように配される構成とされている。この上フレーム１０は、長手方向に見た外郭形状が略方形状とされている。
この上フレーム１０の長さ寸法は、対向する壁面５，５間の寸法に応じた寸法とされている。この上フレーム１０の長さ寸法は、両側の縦フレーム２０，２０との接合態様に応じて適宜の寸法としてもよい。本実施形態では、この上フレーム１０と両側の縦フレーム２０，２０とは、縦勝状に接合される構成とされている。つまり、上フレーム１０の長手方向の各端面に、両側の縦フレーム２０，２０の上端部の対向する側面（見込面）を当接させて接合される構成としている。この場合、この上フレーム１０の長さ寸法を、対向する壁面５，５間の寸法から両側の縦フレーム２０，２０の対向方向に沿う見付寸法を差し引いた寸法に応じた寸法としてもよい。この上フレーム１０と両側の縦フレーム２０，２０とは、ねじ等の適宜の固着具によって連結されるものでもよい。
【００１５】
また、この上フレーム１０には、図４に示すように、間仕切パネル８の上端部を保持する保持部１２が設けられている。本実施形態では、上フレーム１０の保持部１２は、間仕切パネル８を上フレーム１０の長手方向に沿って移動自在に保持する構成とされている。つまり、間仕切パネル８を可動パネルとしている。また、上フレーム１０の保持部１２は、間仕切パネル８を吊下保持する構成とされている。つまり、間仕切パネル８は、上吊型で建て付けられる構成とされている。
この上フレーム１０には、間仕切パネル８の上端部に設けられた被ガイド部９を受け入れてガイドするガイド溝１３が全長に亘って延びるように設けられている。
また、本実施形態では、この上フレーム１０に、複数本（図例では、二本）のガイド溝１３，１３を見込方向（パネル厚さ方向に沿う方向）に並列状に設けた構成としている。つまり、上フレーム１０は、複数枚の間仕切パネル８をパネル厚さ方向に並列状に保持する構成とされている。
【００１６】
これらガイド溝１３，１３は、下方側に向けて開口するように設けられている。また、これらガイド溝１３，１３の溝幅方向両側を区画する溝側壁部の下端部から互いに向き合う方向に突出するように設けられた片部を保持部１２，１２，１２，１２としている。
また、図例では、これらガイド溝１３，１３間に設けられた溝側壁部１１を、一体的に形成したような例を示しているが、各ガイド溝１３，１３を区画する複数本（図例では二本）の上フレーム部材を接合して上フレーム１０を構成するようにしてもよい。また、この中央側の溝側壁部１１に、両側の縦フレーム２０，２０の上端部を当該上フレーム１０に連結する固着具がねじ込まれる止着部を設けた構成としてもよい。なお、このような止着部としては、その他、種々の箇所に設けられたものでもよい。また、上フレーム１０と両側の縦フレーム２０，２０の上端部とは、ねじ等の固着具に代えてまたは加えて適宜の接合金具によって接合されるものでもよい。
また、この上フレーム１０の上下方向に沿う見付寸法及びパネル厚さ方向に沿う見込寸法は、強度上の観点や、間仕切パネル８の上端部の保持態様、ガイド溝１３の本数等に応じて適宜の寸法としてもよい。
【００１７】
間仕切パネル８は、上下方向に長尺な略矩形平板状とされている。この間仕切パネル８の上下方向に沿うパネル高さ寸法は、床面３から上フレーム１０までの上下方向に沿う寸法に応じた寸法とされている。また、この間仕切パネル８のパネル幅寸法や枚数は、両側の縦フレーム２０，２０間の間仕切が可能なように、両側の縦フレーム２０，２０間の寸法に応じて適宜の寸法や枚数としてもよい。また、間仕切パネル８のパネル幅寸法や枚数は、各間仕切パネル８の取扱性や操作性の観点等から適宜の寸法や枚数としてもよい。間仕切パネル８のパネル幅寸法は、例えば、一般的な引戸の戸幅寸法と同程度の寸法としてもよく、これよりも大きい寸法としてもよい。また、図例では、四枚の間仕切パネル８を引違状に設けた例を示している。この場合、例えば、一本のガイド溝１３に二枚の間仕切パネル８，８をガイドさせる構成としてもよい。
【００１８】
また、この間仕切パネル８の上端部の被ガイド部９は、上フレーム１０に案内支持されるランナーとされている。この被ガイド部９には、上フレーム１０のガイド溝１３に挿入され、両側の保持部１２，１２上を走行する転動体が設けられている。また、被ガイド部９は、間仕切パネル８の上端部のパネル幅方向両端部のそれぞれに設けられている。
なお、間仕切パネル８の下端部に、間仕切パネル８の下端側をガイドする適宜のガイド部材のガイドピン等が挿入（遊挿）される凹溝を設けた構成としてもよい。
また、間仕切パネル８のパネル幅方向の端部に適宜の手掛部を設けた構成としてもよい。
また、間仕切パネル８を、上吊型で建て付けられる構成に代えて、下荷重型で建て付けられる構成としてもよい。この場合は、間仕切パネル８の下端側に床面３や適宜の下レール等の走行対象を走行する戸車を設けたり、上端部の被ガイド部９や上フレーム１０のガイド溝１３、保持部１２等を変形したりしてもよい。
【００１９】
また、間仕切パネル８としては、上フレーム１０の長手方向に沿って移動自在とされたものに限られず、上フレーム１０に対して固定的に保持されるものでもよい。また、間仕切パネル８としては、四周のフレーム内に透光板を設けた透光パネルとしてもよく、その他、種々の構成とされたものでもよい。また、上フレーム１０に保持される被保持部材としては、間仕切パネル８に限られず、照明器具や配線、物干し、植物、写真、絵画等でもよく、その他、種々の物品でもよい。このような被保持部材に応じて上フレーム１０の保持部１２を適宜、変形するようにしてもよく、上フレーム１０を、いわゆるダクトレールから構成されたものとしてもよい。
【００２０】
両側の縦フレーム２０，２０は、上下方向に長尺状とされている。本実施形態では、これら両側の縦フレーム２０，２０の長さ寸法を、図１に示すように、上フレーム１０と天井４との間に隙間が形成されるように天井高よりも小としている。このような構成とすれば、天井４に波打ちや不陸、梁等の凹凸があるような場合にも、これらとの干渉を抑制して上フレーム１０を設置することができる。これら両側の縦フレーム２０，２０の長さ寸法は、天井４側の凹凸との干渉を抑制する観点や間仕切性の観点等から上フレーム１０の上方側に適宜の隙間が形成されるように適宜の寸法としてもよい。なお、このように上フレーム１０の天井４側に隙間を設ける場合には、上フレーム１０の天井４側に、この上フレーム１０の長手方向の適所を吊下げるように保持する吊下部材を設けた構成としてもよい。また、これら両側の縦フレーム２０，２０の上端部に、上フレーム１０の止着部に止着される固着具の挿通孔を設けた構成としてもよい。
【００２１】
これら両側の縦フレーム２０，２０は、互いに同様の構成とされている。なお、以下で、一方の縦フレーム２０を例にとって具体的構成について説明する。
縦フレーム２０は、図１及び図２に示すように、壁面５に向けて開口する受入溝２２が全長に亘って設けられ、少なくとも一箇所が壁面５に対して固定され下端部が床面３に当接されるフレーム本体２１を備えている。また、縦フレーム２０は、フレーム本体２１の受入溝２２に進退自在に受け入れられ、フレーム本体２１の全長に亘って設けられた隙間遮蔽部材２５を備えている。また、縦フレーム２０は、当該縦フレーム２０の長手方向に間隔を空けて複数箇所に設けられ、かつフレーム本体２１の反壁面側となる見込面側において操作可能とされフレーム本体２１に対して隙間遮蔽部材２５を進退させる進退調整部材２９を備えている。
【００２２】
上記のような構成とすれば、縦フレーム２０のフレーム本体２１を固定した状態で、進退調整部材２９を操作して隙間遮蔽部材２５を壁面５に当接させることで、壁面５と縦フレーム２０との間に隙間が生じることを抑制することができる。これにより、設置箇所の波打ちや不陸に合わせて縦枠を現場において加工する必要があるようなものと比べて施工性を向上させることができる。また、複数箇所に進退調整部材２９を設けているので、壁面５の上下方向において波打ちや不陸がある場合にも隙間を生じ難くすることができる。また、上フレーム１０の長手方向の各端部に各縦フレーム２０，２０の上端部を連結して構成された三方枠状構造体を移設するような場合には、特に壁面５との間に隙間が生じ易くなる傾向があるが、本実施形態によれば、壁面５との隙間を生じ難くすることができる。
【００２３】
フレーム本体２１は、図２に示すように、長手方向に見た外郭形状が略方形状とされている。このフレーム本体２１の見込面側には、間仕切パネル８のパネル幅方向の端部を受け入れる戸じゃくり溝状の凹溝２１ａが設けられている。この凹溝２１ａは、フレーム本体２１の全長に亘って延びるように設けられている。本実施形態では、上フレーム１０に並列状に設けられた二本のガイド溝１３，１３に対応させて、このフレーム本体２１の見込面側に、二本の凹溝２１ａ，２１ａを見込方向に並列状に設けた構成としている。なお、このような凹溝２１ａを設けていない構成としてもよい。
このフレーム本体２１の見込方向に向く両側の側面（見付面）は、平坦面状とされている。また、図例では、このフレーム本体２１の見込寸法を、上フレーム１０の見込寸法と略同寸法とした例を示している。
【００２４】
また、このフレーム本体２１の受入溝２２は、溝長手方向に見て略方形溝状とされている。この受入溝２２の溝深さ寸法は、後記する隙間遮蔽部材２５の受入が可能なように、また、隙間遮蔽部材２５による所望する調整寸法等に応じて適宜の寸法としてもよい。
この受入溝２２の溝幅方向両側を区画する溝側壁部２１ｂ，２１ｂは、フレーム本体２１の壁面５に対面する側の見込方向両側縁部から壁面５に向けて突出するように設けられている。これら溝側壁部２１ｂ，２１ｂの突出寸法は、壁面５に対面されるそれぞれの先端面が同一平面状となるように互いに同寸法とされている。また、これら溝側壁部２１ｂ，２１ｂは、見込方向に厚さ方向を沿わせた板状とされている。これら溝側壁部２１ｂ，２１ｂの厚さ寸法は、後記する隙間遮蔽部材２５との段差を目立ち難くする観点や強度上の観点等から適宜の寸法としてもよい。
【００２５】
隙間遮蔽部材２５は、長手方向に見た外郭形状が略方形状とされている。この隙間遮蔽部材２５の見込方向に向く両側の側面（見付面）は、平坦面状とされている。また、図例では、隙間遮蔽部材２５の見付方向（両側の縦フレーム２０，２０の対向方向に沿う方向）に向く両側の側面も略平坦面状とした例を示しているが、このような態様に限られない。
この隙間遮蔽部材２５の見込方向に沿う寸法は、受入溝２２の溝幅寸法に応じた寸法とされている。この隙間遮蔽部材２５の見込方向に沿う寸法は、隙間遮蔽部材２５が受入溝２２内を見付方向（溝深さ方向）に移動可能なように受入溝２２の溝幅寸法よりも僅かに小としてもよい。
また、この隙間遮蔽部材２５の見付方向に沿う寸法は、当該隙間遮蔽部材２５による所望する調整寸法等に応じて適宜の寸法としてもよい。図例では、隙間遮蔽部材２５の見付方向に沿う寸法を、当該隙間遮蔽部材２５の全体が受入溝２２内に受け入れ可能な寸法としている（図３（ｂ）参照）。また、図例では、フレーム本体２１の受入溝２２内に隙間遮蔽部材２５が最大限退入された状態で、隙間遮蔽部材２５の壁面５側に向く面とフレーム本体２１の溝側壁部２１ｂ，２１ｂの先端面とが略同一平面状となる構成とした例を示している。
【００２６】
これらフレーム本体２１及び隙間遮蔽部材２５には、図２に示すように、壁面５に向けて止着される固着具２８が挿通される挿通孔２３，２６が設けられている。このような構成とすれば、挿通孔２３，２６に固着具２８を挿通してフレーム本体２１の少なくとも一箇所を壁面５に固定することができる。このフレーム本体２１における壁面５に対する固定箇所は、フレーム本体２１の長手方向途中部位の適所でもよいが、好ましくは、長手方向中央部よりも上側部位としてもよく、図例では、上端側部位としている。つまり、これら挿通孔２３，２６を、フレーム本体２１及び隙間遮蔽部材２５のそれぞれの上端側部位を見付方向に貫通させるように設けた構成としている。また、フレーム本体２１の挿通孔２３と隙間遮蔽部材２５の挿通孔２６とは、見付方向に見て一致する位置となるように設けられている。これら挿通孔２３，２６は、壁幅方向に延びるように壁に設けられた胴縁等の壁下地６の高さに応じた位置となるように設けられたものでもよい（図１参照）。つまり、フレーム本体２１における壁面５に対する固定箇所は、壁下地６の高さに応じた位置としてもよい。また、図例では、これら挿通孔２３，２６を、フレーム本体２１及び隙間遮蔽部材２５のそれぞれの見込方向略中央部に設けた例を示している。
【００２７】
これら挿通孔２３，２６の内径は、固着具２８の軸部２８ａの外径よりも僅かに大とされている。また、図例では、固着具２８を皿ねじ状とし、フレーム本体２１の挿通孔２３の見込面側に、この固着具２８の頭部２８ｂを受け入れるざぐり状（皿ざぐり状）の凹部２３ａを設けた例を示している。この固着具２８は、フレーム本体２１の上端側部位と壁面５との間に隙間が形成されるように壁面５に向けて止着される。
なお、フレーム本体２１及び隙間遮蔽部材２５の下端側部位にも同様な挿通孔を設けた構成としてもよい。
また、本実施形態では、フレーム本体２１の下端部は、図４に示すように、シート材７を介して床面３に当接される構成とされている。このシート材７としては、粘着シートや滑止シート等でもよい。このような構成とすれば、フレーム本体２１の下端側を壁面５に固定しないような場合にも、フレーム本体２１の下端側の移動を抑制することができる。なお、このようなシート材７を設けた態様に代えて、フレーム本体２１の下端部が床面３に直接的に当接される構成としてもよい。
【００２８】
進退調整部材２９は、図１に示すように、本実施形態では、フレーム本体２１の上端側部位を固定する固着具２８よりも下方側に位置するように設けられている。また、進退調整部材２９は、フレーム本体２１の下端側部位と長手方向途中部位とに設けられている。図例では、フレーム本体２１の上端側部位を固定する固着具２８と下端側部位の進退調整部材２９との間に略等間隔を空けて複数（図例では２つ）の進退調整部材２９，２９を設けた例を示している。この進退調整部材２９を設ける位置や個数は、壁面５との隙間を抑制する観点や、作業性の観点等から適宜の位置や個数としてもよく、２つ〜５つ程度としてもよい。なお、フレーム本体２１における壁面５に対する固定箇所によっては、進退調整部材２９を固定箇所よりも上方側にも設けた構成としてもよい。また、これら複数の進退調整部材２９は、互いに同様の構成であるので、以下では、一つを例にとって具体的構成について説明する。
【００２９】
進退調整部材２９は、図３に示すように、フレーム本体２１及び隙間遮蔽部材２５の見込方向略中央部に位置するように設けられている。また、この進退調整部材２９は、本実施形態では、隙間遮蔽部材２５の壁面５側に向く面から突出しないように設けられている。このような構成とすれば、進退調整部材２９と壁面５との干渉を抑制することができる。
また、本実施形態では、進退調整部材２９は、フレーム本体２１に回転自在に保持される被保持部２９ａと、隙間遮蔽部材２５に設けられた雌ねじ穴２７にねじ合わされる雄ねじ部２９ｄと、を備えている。このような構成とすれば、進退調整部材２９を雄ねじ部２９ｄの軸回りに回転させることで隙間遮蔽部材２５をねじ作用によって進退させることができる。また、進退調整部材２５がフレーム本体２１に保持されているので、この進退調整部材２５によってフレーム本体２１に対して隙間遮蔽部材２５を保持させることができる。
【００３０】
また、進退調整部材２９の被保持部２９ａは、フレーム本体２１を見付方向に貫通する挿通孔２４に回転自在に挿通された軸状（丸棒状）とされている。この被保持部２９ａの軸方向一方側端部には、フレーム本体２１の見込面側においてドライバー等の治具によって操作可能とされた十字穴やすりわり等の操作部が設けられた頭部２９ｂが設けられている。フレーム本体２１の挿通孔２４の見込面側には、上記同様、進退調整部材２９の頭部２９ｂを受け入れるざぐり状（皿ざぐり状）の凹部２４ａが設けられている。また、図例では、フレーム本体２１の挿通孔２４及び上記した固着具２８の挿通孔２３が設けられた部位の見込方向両側に、フレーム本体２１の全長に亘って延びる中空部を設けた例を示している。
【００３１】
また、被保持部２９ａの軸方向他方側には、受入溝２２の溝底２２ａに当接または近接される鍔状部２９ｃが設けられている。この鍔状部２９ｃは、被保持部２９ａに対して軸方向に移動不能に固定的に設けられており、外径が挿通孔２４の内径よりも大とされている。進退調整部材２９は、この鍔状部２９ｃと頭部２９ｂとによってフレーム本体２１に対して軸方向への移動が抑止されている。なお、フレーム本体２１の受入溝２２の溝底２２ａまたはこれに対面される隙間遮蔽部材２５の反壁面側に向く面に、鍔状部２９ｃを受け入れる凹部を設けた構成としてもよい。
また、進退調整部材２９の雄ねじ部２９ｄは、被保持部２９ａと同軸状に設けられており、受入溝２２の溝底２２ａから壁面５に向けて突出するように設けられている。この雄ねじ部２９ｄは、溝側壁部２１ｂ，２１ｂの先端面から突出しないように設けられている。図例では、雄ねじ部２９ｄを、その壁面５側の先端面が溝側壁部２１ｂ，２１ｂの先端面よりも見付方向で僅かに溝底２２ａ側となるように設けた例を示しているが、このような態様に限られない。
【００３２】
隙間遮蔽部材２５の雌ねじ穴２７は、フレーム本体２１の挿通孔２４と見付方向に見て一致する位置となるように設けられている。図例では、この雌ねじ穴２７を、隙間遮蔽部材２５を見付方向に貫通させて設けた例を示しているが、有底穴状としてもよい。また、図例では、隙間遮蔽部材２５の雌ねじ穴２７及び上記した固着具２８の挿通孔２６が設けられた部位の見込方向両側に、隙間遮蔽部材２５の全長に亘って延びる中空部を設けた例を示している。
なお、この雌ねじ穴２７は、隙間遮蔽部材２５に直接的に設けられたものでもよく、隙間遮蔽部材２５に埋込状に設けられたナット部材に設けられたものでもよい。また、フレーム本体２１の挿通孔２３，２４及び隙間遮蔽部材２５の挿通孔２６も同様、これらフレーム本体２１及び隙間遮蔽部材２５に直接的に設けられたものでもよく、これらに埋込状に設けられた適宜のカラー等の円筒状部材に設けられたものでもよい。また、進退調整部材２９に加えて隙間遮蔽部材２５をフレーム本体２１に対して進退自在に保持する部材を設けた構成としてもよく、また、隙間遮蔽部材２５の受入溝２２外への移動を抑止する適宜のストッパー部を設けた構成等としてもよい。
【００３３】
また、本実施形態では、フレーム本体２１及び隙間遮蔽部材２５における少なくとも室内側において露出する表面（露出表面）を、互いに同色状としている。このような構成とすれば、フレーム本体２１と隙間遮蔽部材２５との外観の統一化を図ることができ、壁面５との間の隙間調整機能を有したものとしながらも、違和感を生じ難くすることができる。フレーム本体２１の上記露出表面は、反壁面側に向く見込面、見込方向に向く両側面（見付面）及び溝側壁部２１ｂ，２１ｂの先端面を含む。また、隙間遮蔽部材２５の上記露出表面は、当該隙間遮蔽部材２５がフレーム本体２１の受入溝２２に対して最大限進出された状態において露出する見込方向に向く両側面（見付面）を指すが、見込方向に向く両側面の全体としてもよい。
【００３４】
また、フレーム本体２１の上記露出表面と隙間遮蔽部材２５の上記露出表面とが同色状とは、完全に同色に限られず、それぞれが単一色であれば、視覚的に見分け難い程度に互いの色差が小さいようなものも含む。また、フレーム本体２１の上記露出表面及び隙間遮蔽部材２５の上記露出表面に模様や柄が施されている場合には、同様の模様や柄が同系色で施されているようなものも含む。また、上記した上フレーム１０の少なくとも室内側において露出する表面（露出表面）を、これらフレーム本体２１及び隙間遮蔽部材２５の上記露出表面と同色状としてもよい。また、これら上フレーム１０並びに縦フレーム２０のフレーム本体２１及び隙間遮蔽部材２５の上記露出表面は、塗装や化粧シートの貼着等によって適宜の表面化粧処理が施された化粧面としてもよい。このような構成とすれば、既設の室内壁に対して設置する際にも容易にかつ見栄え良く設置することができ、リフォーム用部材としても好適に用いることができる。例えば、これら上フレーム１０並びに縦フレーム２０のフレーム本体２１及び隙間遮蔽部材２５の上記露出表面を、アイアン調の黒色系やマット調の白色系の表面仕上処理が施されたものとしてもよい。なお、このような態様に代えて、施工後に適宜の表面仕上処理がなされるものでもよい。
【００３５】
また、これら上フレーム１０並びに縦フレーム２０のフレーム本体２１及び隙間遮蔽部材２５は、アルミニウムやステンレス等の金属系材料から押出成形された金属製形材としてもよい。また、これら上フレーム１０並びに縦フレーム２０のフレーム本体２１及び隙間遮蔽部材２５は、金属系材料から形成されたものに限られず、合成樹脂系材料や木質系材料から形成されたものでもよい。また、フレーム本体２１と隙間遮蔽部材２５とは、同材料から形成されたものに限られず、例えば、隙間遮蔽部材２５をフレーム本体２１よりも軟質な材料から形成されたものとしてもよい。
【００３６】
次に、上記構成とされた本実施形態に係るフレーム装置２の施工方法の一例について説明する。
同施工方法は、上フレーム１０の長手方向の各端部に、二本の縦フレーム２０の各フレーム本体２１，２１の上端部を連結して三方枠状とされた三方枠状構造体を設置する工程を備えている。このような構成とすれば、縦枠及び上枠のそれぞれを下地に対して寸法調整しながら設置する必要があるものと比べて、施工性を向上させることができる。
この三方枠状構造体を設置する工程では、両側の縦フレーム２０，２０を対向するそれぞれの壁面５，５に沿わせ、各フレーム本体２１，２１の少なくとも一箇所を各壁面５，５に固定し、各フレーム本体２１，２１の下端部を床面３に当接させて三方枠状構造体を設置する。本実施形態では、上記のように、縦フレーム２０の上端側部位に固着具２８の挿通孔２３，２６を設けているので、挿通孔２３，２６を介して固着具２８を壁面５に向けて止着するようにしてもよい。また、各フレーム本体２１，２１の下端部を、シート材７を介して床面３に当接させるようにしてもよい。また、この際、各フレーム本体２１，２１とこれらのそれぞれが対面される壁面５，５との間に隙間が形成されるように設置する構成としている。
【００３７】
また、同施工方法は、各縦フレーム２０，２０の進退調整部材２９，２９を操作して隙間遮蔽部材２５，２５を各壁面５，５に当接させる工程を備えている。このような構成とすれば、上記同様、設置箇所の波打ちや不陸に合わせて縦枠を現場において加工する必要があるようなものと比べて施工性を向上させることができる。
そして、上フレーム１０に、適宜、被保持部材を構成する間仕切パネル８を建て付けるようにしてもよい。なお、上記施工手順は、一例に過ぎず、種々の変形が可能である。
【００３８】
また、本実施形態では、上フレーム１０と天井４との間に隙間が形成される構成とした例を示しているが、上フレーム１０が天井４に当接される構成としてもよい。
また、本実施形態では、上フレーム１０の長手方向の各端部に連結される二本の縦フレーム２０，２０を設けた例を示しているが、このような態様に限られない。上フレーム１０の長手方向一端部に連結される一本の縦フレーム２０を備えた構成とし、上フレーム１０の長手方向他端部が他の部材等によって保持される構成としてもよい。
また、本実施形態では、フレーム本体２１及び隙間遮蔽部材２５に固着具２８の挿通孔２３，２６を設けた例を示しているが、このような挿通孔２３，２６を設けていない構成としてもよい。
【００３９】
また、本実施形態では、進退調整部材２９に、隙間遮蔽部材２５の雌ねじ穴２７にねじ合わされる雄ねじ部２９ｄを設けた例を示しているが、このような構成に限られない。例えば、進退調整部材２９を、フレーム本体２１の受入溝２２の溝底２２ａに対して進退する進退部によって隙間遮蔽部材２５を進退させる構成とされたものとしてもよく、進退調整部材２９としては、その他、種々の構成とされたものの採用が可能である。また、本実施形態に係るフレーム装置２の各部材及び各部の構成は、上記したような構成に限られず、その他、種々の変形が可能である。
【符号の説明】
【００４０】
２      フレーム装置
１０    上フレーム
１２    保持部
２０    縦フレーム
２１    フレーム本体
２２    受入溝
２３    挿通孔
２５    隙間遮蔽部材
２６    挿通孔
２７    雌ねじ穴
２８    固着具
２９    進退調整部材
２９ａ  被保持部
２９ｄ  雄ねじ部
３      床面
４      天井
５      壁面
８      間仕切パネル（被保持部材）
【図１】
2020084652.tif 000003
【図２】
2020084652.tif 000004
【図３】
2020084652.tif 000005
【図４】
2020084652.tif 000006